(57)【要約】【課題】発熱パネル内のコネクタ収納部を小さくし、狭い場所でも作業性よくコネクタとプラグとを接続できる床暖房パネルの配線接続構造を提供する。【解決手段】隣接する発熱パネルＡの配線どうしを、各発熱パネルＡに内設された収納部５、６にそれぞれ嵌脱自在に収められるコネクタ１とプラグ２とを介して接続する構造であって、該コネクタ１上にはストッパ装着用凹部１１が設けられるとともに、上記収納スペース５から引き出されたコネクタ１の上記凹部１１にストッパ３を装着し、ストッパ３の移動をパネルＡ端部で阻止して上記コネクタ１を固定し、プラグ２を差し込み接続する床暖房パネルの配線接続構造。【選択図】図１
2006220336.tif 000002
【特許請求の範囲】
【請求項１】
隣接する発熱パネルの配線どうしを、各発熱パネルに内設された収納部にそれぞれ嵌脱自在に収められるコネクタとプラグとを介して接続する構造であって、該コネクタ上にはストッパ装着用凹部が設けられるとともに、上記収納スペースから引き出されたコネクタの上記凹部にストッパを装着し、ストッパの移動をパネル端部で阻止して上記コネクタを固定し、プラグを差し込み接続する床暖房パネルの配線接続構造。
【請求項２】
上記ストッパを付勢手段を備えた係止用ピンとするとともに、この係止用ピンが上記凹部に出没自在に装着された請求項１に記載の床暖房パネルの配線接続構造。
【請求項３】
上記付勢手段がコイルばねである請求項２に記載の床暖房パネルの配線接続構造。
【発明の詳細な説明】
【技術分野】
【０００１】
本発明は、下地材の上に敷設された床暖房パネルの配線接続構造に関する。さらに詳しくは、隣接する発熱パネルの配線どうしをコネクタとプラグとを介して接続する構造に関する。
【背景技術】
【０００２】
コネクタコードをコイル状に巻き、その収納スペースがコネクタに内設された床暖房パネルの配線接続構造が下記特許文献に開示されている。
【特許文献１】実開平４−１２５１１４号公報（第１〜２頁、第２図）
【発明の開示】
【発明が解決しようとする課題】
【０００３】
他にも床暖房パネルの配線接続構造としては、本願図４に示すように、隣り合う２枚の発熱パネルＢのうち、固定された発熱パネルＢに内設されたコネクタ収納部７１からコネクタ７を引き出し、間隔をおいて配設された他の発熱パネルＢに内設されたプラグ収納部８１からプラグ８を引き出し、両者を結合することによって配線どうしを接続する構造が知られている。この場合、コネクタ７とプラグ８とは自由に動くため両者をしっかりと確保してプラグ８をコネクタ７に差し込まなければならず作業性が悪いという問題がある。
【０００４】
また、接続後は矢印で示すように、他の発熱パネルＢを大きく移動させて両者を隣接させる必要がある。さらに、上記コネクタ収納部７１にはコネクタリード線７２の余長配線、プラグ収納部８１にはプラグリード線８２の余長配線を収めるスペースが必要となる。本発明は、このような問題を解決して、発熱パネル内のコネクタ収納部を小さくすることができるとともに、狭い場所でも作業性よく施工可能な床暖房パネルの配線接続構造を提供することを、その課題とする。
【課題を解決するための手段】
【０００５】
上記課題を解決するために、本発明においては、つぎのような技術的手段を講じている。すなわち、本発明によれば、隣接する発熱パネルの配線どうしを、各発熱パネルに内設された収納部にそれぞれ嵌脱自在に収められるコネクタとプラグとを介して接続する構造であって、該コネクタ上にはストッパ装着用凹部が設けられるとともに、上記収納スペースから引き出されたコネクタの上記凹部にストッパを装着し、ストッパの移動をパネル端部で阻止して上記コネクタを固定し、プラグを差し込み接続する床暖房パネルの配線接続構造が提供される。上記ストッパは治具として、ワンウエー方式であるいは繰り返して使用することができる。
【０００６】
上記ストッパを付勢手段を備えた係止用ピンとするとともに、この係止用ピンが上記凹部に出没自在に装着されることが好ましい。また、上記付勢手段をコイルばねとすることが好ましい。
【発明の効果】
【０００７】
請求項１に記載の発明は上記のとおりであり、ストッパ装着用凹部が設けられたコネクタを発熱パネルに内設したコネクタ収納部から上記凹部が露出する程度に引き出し、凹部にストッパを装着して他方の発熱パネルのプラグをコネクタに押し込むため、コネクタの動きはストッパがパネル端部で阻止されることによって固定され、片手でも容易にプラグをコネクタに差し込むことができる。その結果、発熱パネルの配線どうしを簡単に接続できる。
【０００８】
上記ストッパを付勢手段を備えた係止用ピンとするとともに、この係止用ピンを上記凹部に出没自在に装着するため、付勢手段を備えた係止用ピンとコネクタとが一体的となり、係止用ピンを上記凹部から突出させた状態で容易にコネクタとプラグとを接続することができる。したがって、発熱パネルの交換等、メンテナンスを容易に行うことができる。上記付勢手段をコイルばねとすることにより、上記係止用ピンを指等で押さえることにより、容易に縮んで凹部に収容され、また開放状態では係止用ピンを突出させてコネクタの動きを容易に阻止することができる。
【発明を実施するための最良の形態】
【０００９】
以下、本発明の実施形態について図面を参照して、詳細に説明する。図１は、本発明にかかる床暖房パネルの配線接続構造を示す部分構成図である。上記床暖房パネルの配線接続構造は、発熱パネルＡに内設されたコネクタ収納部５に収められるコネクタ１と、隣り合う発熱パネルＡに内設されたプラグ収納部６に収められるプラグ２とからなり、コネクタ１にはストッパ３を装着するための凹部１１が設けられている。また、コネクタ１にはコネクタリード線１２が、プラグ２にはプラグリード線２２が付設されている。
【００１０】
以下、本発明にかかる床暖房パネルの配線接続構造を用いてコネクタ１とプラグ２とを接続する方法について説明する。まず、コネクタ収納部５に嵌脱自在に収納されたコネクタ１は凹部１１が露出する程度に引き出し、別部材とされたストッパ３を上記凹部１１に装着する。ついでプラグ２も同様にプラグ収納部６から引き出し、棒端子２１をソケット孔１３に押し込み、挿入する。
【００１１】
このとき、コネクタ１の動きは、上記凹部１１に装着されたストッパ３が発熱パネルＡの端部で阻止されることにより、固定される。このように、コネクタ１が固定されるため、片手で容易に棒端子２１をソケット孔１３に挿入することが可能となり、発熱パネルＡと発熱パネルＡの配線どうしを簡単に接続できる。コネクタ１とプラグ２とを接続した後はストッパ３を取り去り、コネクタ１をコネクタ収納部５に収めるとともに、プラグ２もプラグ収納部６に収める。最後に発熱パネルＡどうしを隣接させて施工が終了する。
【００１２】
図２は、上記のようにして施工を終了した床暖房パネルの配線接続構造を示す一部破断平面図である。図１、図２から、コネクタ１を凹部１１が露出する程度に部分的に引き出すのみでプラグ２との接続が可能となり、その結果、コネクタ収納部５におけるコネクタリード線１２の余長を収納するスペースを小さくできることが明らかである。
【００１３】
図３は、本発明にかかる床暖房パネルの配線接続構造の他の実施形態を示す側断面図である。本実施形態においては付勢手段４１としてのコイルばねを備えた係止用ピン４が凹部１１に出没自在に装着される。本実施形態においてもコネクタ１とプラグ２との接続は上記と同様にして行う。すなわち、図３に示されているように、コネクタ１の動きを、付勢されて凹部１１から突出した係止用ピン４が発熱パネルＡの端部で阻止されることによって固定し、コネクタ１とプラグ２とを接続する。接続終了後は、係止用ピン４を指等で押さえてコネクタ１をコネクタ収納部５に押し込むことにより、容易に発熱パネルＡ内に収めることができる。
【００１４】
上記実施形態は２枚の隣り合う発熱パネルＡを長さ方向に接続する場合について説明したが、コネクタ１とプラグ２とを相互に繰り返し接続することによってさらに多数の発熱パネルＡを長さ方向に接続し、床暖房パネルとすることができる。さらに長さ方向のみならず、幅方向にも接続する等種々設計変更が可能であり、特許請求の範囲を逸脱しない限り、いずれも本発明の技術的範囲に含まれる。
【図面の簡単な説明】
【００１５】
【図１】本発明にかかる床暖房パネルの配線接続構造を示す部分構成図である。
【図２】施工を終了した上記床暖房パネルの配線接続構造を示す一部破断平面図である。
【図３】本発明にかかる床暖房パネルの配線接続構造の他の実施形態を示す側断面図である。
【図４】公知の床暖房パネルの配線接続構造を示す部分構成図である。
【符号の説明】
【００１６】
Ａ          本発明にかかる発熱パネル
１          コネクタ
１１        凹部
１２        コネクタリード線
１３        ソケット孔
２          プラグ
２１        棒端子
２２        プラグリード線
３          ストッパ
４          係止用ピン
４１        付勢手段
５          コネクタ収納部
６          プラグ収納部
Ｂ          公知の発熱パネル
７          コネクタ
７１        コネクタ収納部
７２        コネクタリード線
８          プラグ
８１        プラグ収納部
８２        プラグリード線
【図１】
2006220336.tif 000003
【図２】
2006220336.tif 000004
【図３】
2006220336.tif 000005
【図４】
2006220336.tif 000006